(57)【要約】  本開示の記録装置は、記録媒体に視認可能に記録された、時刻に応じたスケジュール情報を、第１のスケジュール情報から第２のスケジュール情報に書き換える書込部と、時刻に基づいて、第２のスケジュール情報を生成する生成部とを備える。
2018070176.tif 000002
【特許請求の範囲】
【請求項１】
記録媒体に視認可能に記録された、時刻に応じたスケジュール情報を、第１のスケジュール情報から第２のスケジュール情報に書き換える書込部と、
時刻に基づいて、前記第２のスケジュール情報を生成する生成部と
を備えた記録装置。
【請求項２】
前記生成部は、時刻に加え、前記記録媒体に対応づけられた履歴データにも基づいて前記第２のスケジュール情報を生成する
請求項１に記載の記録装置。
【請求項３】
前記記録媒体に視認可能に記録された情報を読み取る読取部をさらに備え、
前記記録媒体には、さらに、前記記録媒体に対応づけられた識別情報が視認可能に記録され、
前記読取部は、前記記録媒体に記録された前記識別情報を読み取り、
前記生成部は、前記読取部が読み取った前記識別情報に基づいて、前記識別情報と前記履歴データとが互いに対応づけられて記憶されたデータベースを用いて、前記履歴データを取得する
請求項２に記載の記録装置。
【請求項４】
前記生成部は、さらに、前記履歴データを更新し、更新した前記履歴データに基づいて前記データベースを更新させる
請求項３に記載の記録装置。
【請求項５】
前記データベースは情報処理装置に記憶された
請求項３に記載の記録装置。
【請求項６】
前記識別情報は、視認可能なパターンを用いて前記記録媒体に記録された
請求項３に記載の記録装置。
【請求項７】
前記記録媒体に視認可能に記録された情報を読み取る読取部をさらに備え、
前記履歴データは、前記記録媒体に視認可能に記録され、
前記読取部は、前記記録媒体に記録された前記履歴データを読み取る
請求項２に記載の記録装置。
【請求項８】
前記書込部は、前記記録媒体に記録された前記履歴データを、第１の履歴データから第２の履歴データに書き換え、
前記生成部は、さらに、前記第１の履歴データに基づいて前記第２の履歴データを生成する
請求項７に記載の記録装置。
【請求項９】
前記書込部は、前記記録媒体に視認可能に記録され、前記履歴データに対応するパターンを、第１のパターンから第２のパターンに書き換えることにより、前記履歴データを書き換え、
前記生成部は、前記履歴データに基づいて前記第２のパターンを生成する
請求項８に記載の記録装置。
【請求項１０】
前記生成部は、前記履歴データに加え、情報処理装置のサイト情報にも基づいて、前記第２のパターンを生成する
請求項９に記載の記録装置。
【請求項１１】
前記生成部は、所定のスケジュールデータにも基づいて、前記第２のスケジュール情報を生成する
請求項２に記載の記録装置。
【請求項１２】
前記書込部は、さらに、記録媒体に視認可能に記録された、前記記録媒体の履歴を示す履歴情報を、第１の履歴情報から第２の履歴情報に更新し、
前記生成部は、前記履歴データに基づいて前記第２の履歴情報を生成する
請求項２に記載の記録装置。
【請求項１３】
前記記録媒体は、ユーザに装着可能に構成された
請求項１に記載の記録装置。
【請求項１４】
前記記録媒体は、リストバンド形状を有する
請求項１３に記載の記録装置。
【請求項１５】
前記記録媒体は、発色状態と消色状態との間で可逆的に状態が変化可能な記録層を有する
請求項１に記載の記録装置。
【請求項１６】
前記記録層は、ロイコ染料を含む
請求項１５に記載の記録装置。
【請求項１７】
記録媒体に視認可能に記録された、時刻に応じたスケジュール情報を、第１のスケジュール情報から第２のスケジュール情報に書き換える書込部と、時刻、および前記記録媒体に対応づけられた履歴データに基づいて、前記第２のスケジュール情報を生成する生成部とを有する記録装置と、
前記履歴データを蓄積する情報処理装置と
を備えた記録システム。
【請求項１８】
前記記録装置は、前記記録媒体に視認可能に記録された情報を読み取る読取部をさらに有し、
前記記録媒体には、さらに、前記記録媒体に対応づけられた識別情報が視認可能に記録され、
前記情報処理装置は、前記識別情報と前記履歴データとが互いに対応づけられて記憶されたデータベースを有し、
前記読取部は、前記記録媒体に記録された前記識別情報を読み取り、
前記生成部は、前記読取部が読み取った前記識別情報に基づいて、前記情報処理装置から前記履歴データを取得する
請求項１７に記載の記録システム。
【請求項１９】
前記記録媒体に視認可能に記録された情報を読み取る端末読取部と、処理部とを有する端末装置をさらに備え、
前記記録媒体には、さらに、前記情報処理装置のサイト情報が視認可能に記録され、
前記端末読取部は、前記記録媒体に記録された前記識別情報および前記サイト情報を読み取り、
前記処理部は、前記端末読取部が読み取った前記サイト情報に基づいて前記情報処理装置にアクセスして、前記端末読取部が読み取った前記識別情報を前記情報処理装置に供給し、
前記情報処理装置は、前記端末装置に対して、前記識別情報に応じた所定の処理を行う
請求項１８に記載の記録システム。
【請求項２０】
記録媒体に視認可能に記録された、時刻に応じたスケジュール情報を、第１のスケジュール情報から第２のスケジュール情報に書き換える書込部と、時刻、および前記記録媒体に対応づけられた履歴データに基づいて、前記第２のスケジュール情報を生成する生成部とを有する記録装置と、
前記履歴データに応じた所定の処理を行う情報処理装置と
を備えた記録システム。
【請求項２１】
前記記録媒体に視認可能に記録された情報を読み取る端末読取部を有する端末装置をさらに備え、
前記記録媒体には、さらに、前記記録媒体に対応づけられた識別情報が視認可能に記録され、
前記情報処理装置は、前記識別情報と前記履歴データとが互いに対応づけられて記憶されたデータベースを有し、
前記端末読取部は、前記記録媒体に記録された前記識別情報を読み取り、
前記情報処理装置は、前記端末読取部が読み取った前記識別情報に基づいて、前記履歴データを取得する
請求項２０に記載の記録システム。
【請求項２２】
前記記録媒体に視認可能に記録された情報を読み取る端末読取部を有する端末装置をさらに備え、
前記履歴データは、前記記録媒体に視認可能に記録され、
前記端末読取部は、前記記録媒体に記録された前記履歴データを読み取り、
前記情報処理装置は、前記端末読取部が読み取った前記履歴データを取得する
請求項２０に記載の記録システム。
【発明の詳細な説明】
【技術分野】
【０００１】
本開示は、記録媒体に情報を記録する記録装置、およびそのような記録装置を備えた記録システムに関する。
【背景技術】
【０００２】
文字や図形などの情報を視認可能に記録する記録媒体に対して、しばしば情報を書き変えたい場合がある。例えば特許文献１，２には、熱により情報を書き換えることができる記録媒体が開示されている。【０００３】
ところで、例えばイベント会場では、入場券（パス）が発行される。そして、ユーザは、そのイベント会場において、発行された入場券を携帯する。
【先行技術文献】
【特許文献】
【０００４】
【特許文献１】特開２００４−７４５８４号公報
【特許文献２】特開２００４−１５５０１０号公報
【発明の概要】
【０００５】
このようなイベント会場において、ユーザは例えばイベントについての様々な情報を把握したい場合が有る。よって、情報を書き換え可能な記録媒体を、例えばイベント会場で用いることにより、ユーザの利便性を高めることが期待される。
【０００６】
ユーザの利便性を高めることができる記録装置および記録システムを提供することが望ましい。
【０００７】
本開示の一実施の形態における記録装置は、書込部と、生成部とを備えている。書込部は、記録媒体に視認可能に記録された、時刻に応じたスケジュール情報を、第１のスケジュール情報から第２のスケジュール情報に書き換えるものである。生成部は、時刻に基づいて、第２のスケジュール情報を生成するものである。
【０００８】
本開示の一実施の形態における第１の記録システムは、記録装置と、情報処理装置とを備えている。記録装置は、書込部と、生成部とを有している。書込部は、記録媒体に視認可能に記録された、時刻に応じたスケジュール情報を、第１のスケジュール情報から第２のスケジュール情報に書き換えるものである。生成部は、時刻、および記録媒体に対応づけられた履歴データに基づいて、第２のスケジュール情報を生成するものである。情報処理装置は、履歴データを蓄積するものである。
【０００９】
本開示の一実施の形態における第２の記録システムは、記録装置と、情報処理装置とを備えている。記録装置は、書込部と、生成部とを有している。書込部は、記録媒体に視認可能に記録された、時刻に応じたスケジュール情報を、第１のスケジュール情報から第２のスケジュール情報に書き換えるものである。生成部は、時刻、および記録媒体に対応づけられた履歴データに基づいて、第２のスケジュール情報を生成するものである。情報処理装置は、履歴データに応じた所定の処理を行うものである。
【００１０】
本開示の一実施の形態における記録装置、第１の記録システム、および第２の記録システムでは、時刻に応じたスケジュール情報が、記録媒体に視認可能に記録される。このスケジュール情報は、第１のスケジュール情報から第２のスケジュール情報に書き換えられる。この第２のスケジュール情報は、時刻に基づいて生成される。
【００１１】
本開示の一実施の形態における記録装置、第１の記録システム、および第２の記録システムによれば、記録媒体に視認可能に記録された、時刻に応じたスケジュール情報を書き換えるようにしたので、ユーザの利便性を高めることができる。なお、ここに記載された効果は必ずしも限定されるものではなく、本開示中に記載されたいずれの効果があってもよい。
【図面の簡単な説明】
【００１２】
【図１】本開示の第１の実施の形態に係る音楽フェスティバルの一例を表す説明図である。
【図２】図１に示したリストバンドの一構成例を表す説明図である。
【図３】図２に示した情報記録部の概略断面構造を表す断面図である。
【図４Ａ】第１の実施の形態に係る記録システムの一構成例を表す構成図である。
【図４Ｂ】第１の実施の形態に係る記録システムの一構成例を表す他の構成図である。
【図５】図４Ａに示した履歴データの一構成例を表す説明図である。
【図６】図４Ａ，４Ｂに示した記録システムの一動作例を表すシーケンス図である。
【図７】図４Ａ，４Ｂに示した記録システムの一動作例を表す他のシーケンス図である。
【図８】図４Ａ，４Ｂに示した記録システムの一動作例を表す他のシーケンス図である。
【図９】図４Ａ，４Ｂに示した記録システムの一動作例を表す他のシーケンス図である。
【図１０Ａ】第１の実施の形態の変形例に係る記録システムの一構成例を表す構成図である。
【図１０Ｂ】第１の実施の形態に変形例に係る記録システムの一構成例を表す他の構成図である。
【図１１】図１０Ａ，１０Ｂに示した記録システムの一動作例を表すシーケンス図である。
【図１２】図１０Ａ，１０Ｂに示した記録システムの一動作例を表す他のシーケンス図である。
【図１３】図１０Ａ，１０Ｂに示した記録システムの一動作例を表す他のシーケンス図である。
【図１４】第２の実施の形態に係るアミューズメントパークの一例を表す説明図である。
【図１５】図１４に示したリストバンドの一構成例を表す説明図である。
【図１６Ａ】第２の実施の形態に係る記録システムの一構成例を表す構成図である。
【図１６Ｂ】第２の実施の形態に係る記録システムの一構成例を表す他の構成図である。
【図１７】イベントスケジュールデータの一構成例を表す説明図である。
【図１８】図１６Ａに示した履歴データの一構成例を表す説明図である。
【図１９】図１６Ａ，１６Ｂに示した記録システムの一動作例を表すシーケンス図である。
【図２０】図１６Ａ，１６Ｂに示した記録システムの一動作例を表す他のシーケンス図である。
【図２１】図１６Ａ，１６Ｂに示した記録システムの一動作例を表す他のシーケンス図である。
【図２２】図１６Ａ，１６Ｂに示した記録システムの一動作例を表す他のシーケンス図である。
【図２３】図１６Ａ，１６Ｂに示した記録システムの一動作例を表す他のシーケンス図である。
【図２４】図１６Ａ，１６Ｂに示した記録システムの一動作例を表す他のシーケンス図である。
【発明を実施するための形態】
【００１３】
以下、本開示の実施の形態について、図面を参照して詳細に説明する。なお、説明は以下の順序で行う。
１．第１の実施の形態（音楽フェスティバルの例）
２．第２の実施の形態（アミューズメントパークの例）
【００１４】
＜１．第１の実施の形態＞
［適用例］
図１は、第１の実施の形態に係る記録システム（記録システム１）が適用される音楽フェスティバルの一例を表すものである。この音楽フェスティバルの会場（音楽フェスティバル会場１００）には、複数のライブ会場１０１，１０２，１０３，…が設けられており、入場者５は、複数のライブ会場に足を運ぶことにより、様々なアーティストのライブに参加することができるようになっている。
【００１５】
この音楽フェスティバル会場１００では、入場者５は、入場ゲート１０９においてリストバンド８０を受け取る。このリストバンド８０は、音楽フェスティバル会場１００において、入場券（パス）として機能する。入場者５は、このリストバンド８０を手首に巻いて装着することにより、音楽フェスティバル会場１００においてこのリストバンド８０を携帯する。入場者５は、参加したいライブが行われるライブ会場に行き、そのライブの参加費用を支払うとともに、描画装置１０にリストバンド８０をかざす。これにより、リストバンド８０には、様々な情報が視認可能に記録される。各ライブ会場では、撮影装置２０が、アーティストの演奏を動画撮影し、撮影したライブ映像の映像データＤＴをサーバ３０に供給する。これにより、サーバ３０には、様々なライブ映像が蓄積される。入場者５は、例えば音楽フェスティバルの開催期間内や終了後の所定の期間内において、リストバンド８０に記録された情報コードＣＤ（後述）を利用して、例えばスマートフォン４０を用いてサーバ３０にアクセスすることができる。これにより、入場者５は、例えば自らが参加したライブに係るライブ映像を、有償または無償で取得することができる。また、入場者５は、このサーバ３０にアクセスすることにより、後述するように、アーティストのビデオメッセージの配信やグッズの販売などの様々なサービスを受けることができるようになっている。
【００１６】
上述したように、リストバンド８０には、様々な情報が視認可能に記録される。次に、このリストバンド８０について詳細に説明する。
【００１７】
図２は、リストバンド８０の一構成例を表す。リストバンド８０は、ベルト部８１，８２と、情報記録部８３とを有している。ベルト部８１，８２は、帯形状を有し、端部（図示せず）が互いに接続可能に構成されている。情報記録部８３は、様々な情報が視認可能に記録されるものである。この例では、情報記録部８３には、参加履歴マークＭＨと、スケジュール情報ＩＳと、メッセージ情報ＩＭと、情報コードＣＤとが記録されている。
【００１８】
参加履歴マークＭＨは、音楽フェスティバル会場１００において、そのリストバンド８０を装着した入場者５が参加したライブの数を示すものである。この例では、ライブに参加するほど、多くの星形マークが参加履歴マークＭＨとして記録されるようになっている。なお、これに限定されるものではなく、ライブへの参加度合いが客観的に視認できれば、どのようなものであってもよい。具体的には、例えば、入場者５が参加したライブの数によって、マークの色が変化するようにしてもよい。
【００１９】
スケジュール情報ＩＳは、この例では、入場者５が参加する予定であるライブについてのスケジュールを示すものである。具体的には、入場者５がある１つのライブについて参加費用を支払った場合には、そのライブについての情報がスケジュール情報ＩＳとして記録される。この例では、スケジュール情報ＩＳは、ライブの開始予定時刻、およびそのライブを行うアーティストの名前についての情報を含んでいる。なお、これに限定されるものではなく、例えば、ライブが行われるライブ会場についての情報を含んでもよい。また、例えば、入場者５が複数のライブについて参加費用を支払った場合には、その複数のライブのうち、開始予定時刻が現在時刻以降である最初のライブについての情報がスケジュール情報ＩＳとして記録される。これにより、入場者５は、リストバンド８０のスケジュール情報ＩＳを確認することにより、自らが次に参加する予定であるライブについての情報を確認することができる。すなわち、リストバンド８０は、そのリストバンド８０を装着した入場者５に対するリマインダとしても機能するようになっている。
【００２０】
メッセージ情報ＩＭは、例えば、アーティストからのメッセージや、音楽フェスティバルの運営業者からのメッセージを示すものである。
【００２１】
情報コードＣＤは、様々な情報を、視認可能なパターン（この例ではいわゆる２次元コード）を用いて記録するものである。この例では、情報コードＣＤは、あらかじめリストバンド８０に記録されている。この情報コードＣＤには、リストバンド８０を識別するための識別情報ＩＩＤや、サーバ３０にアクセスするためのウェブサイト情報ＩＷＳが記録されている。これにより、例えば、描画装置１０は、後述するように、この情報コードＣＤを読み取り、その情報コードＣＤに含まれる識別情報ＩＩＤに基づいて、リストバンド８０に情報を記録することができる。また、例えば、入場者５は、スマートフォン４０を操作してこの情報コードＣＤを読み取り、その情報コードＣＤに含まれるウェブサイト情報ＩＷＳに基づいてサーバ３０にアクセスし、サーバ３０が提供する様々なサービスを受けることができるようになっている。
【００２２】
図３は、情報記録部８３の一構成例を表すものである。情報記録部８３は、基体９１と、記録層９２，９４，９６と、断熱層９３，９５と、保護層９７とを有している。記録層９２、断熱層９３、記録層９４、断熱層９５、記録層９６、保護層９７は、基体９１の表面に、この順に形成されている。
【００２３】
基体９１は、その表面に各層を形成するための基板として機能するものである。基体９１は、例えば、リストバンド８０のベルト部８１，８２と同じ材料を用いて、ベルト部８１，８２と一体として構成することができる。基体９１は、光を透過するものであってもよいし、光を透過しないものであってもよい。光を透過しない場合には、基体９１の表面の色は、例えば白色であってもよいし、白色以外の色であってもよい。
【００２４】
記録層９２，９４，９６は、発色状態と消色状態との間で可逆的に状態を変化させることができるものである。記録層９２，９４，９６は、発色状態における色が互いに異なる色になるように構成されている。具体的には、この例では、記録層９２は、マゼンタ色に発色可能であり、記録層９４は、シアン色に発色可能であり、記録層９６は、黄色に発色可能である。なお、これに限定されるものではなく、３つの記録層９２，９４，９６と３色（マゼンタ色、シアン色、黄色）とがどのように対応していてもよい。また、記録層９２，９４，９６は、消色状態では透明になる。これにより、情報記録部８３は、広い色域の色を用いて、情報を記録することができるようになっている。
【００２５】
記録層９２，９４，９６のそれぞれは、例えばロイコ染料を含んで構成することができる。この場合、記録層９２，９４，９６のそれぞれは、例えば、ロイコ染料に加え、顕色剤と、光熱変換材料と、ポリマーとを含んで構成することができる。ロイコ染料は、熱により顕色剤と結合して発色状態になり、あるいは顕色剤と分離して消色状態になるものである。３つの記録層９２，９４，９６のロイコ染料は、発色状態における色が互いに異なるものである。光熱変換材料は、赤外光を吸収して熱を発するものである。３つの記録層９２，９４，９６の光熱変換材料は、吸収する赤外光の波長が互いに異なるものである。
【００２６】
断熱層９３は、記録層９２と記録層９４との間で互いに熱が伝わりにくくするためのものである。断熱層９５は、記録層９４と記録層９６との間で互いに熱が伝わりにくくするためのものである。保護層９７は、情報記録部８３の表面を保護するためのものである。断熱層９３，９５および保護層９７は、透明な材料を用いて構成される。
【００２７】
この構成により、リストバンド８０には、様々な情報を視認可能に記録することができる。具体的には、情報記録部８３に情報（文字や図形）を記録する場合には、その文字パターンや図形パターンに基づいて赤外光が情報記録部８３に照射される。この赤外光の波長は、記録したい文字や図形の色に応じた波長に設定される。記録層９２，９４，９６のそれぞれでは、光熱変換材料が、その光熱変換材料に対応する波長の赤外光を吸収して熱を発する。そして、その光熱変換材料により生じた熱により、ロイコ染料が顕色剤と結合して発色状態になり、あるいは顕色剤と分離して消色状態になる。このようにして、リストバンド８０には、様々な情報が視認可能に記録される。また、このリストバンド８０では、この視認可能に記録された情報を書き換えることもできるようになっている。
【００２８】
［構成例］
次に、音楽フェスティバルにおいて、リストバンド８０に情報を記録する記録システム１について説明する。
【００２９】
図４Ａ，４Ｂは、記録システム１の一構成例を表すものである。図４Ａは、記録システム１のうち、音楽フェスティバルの開催期間内に処理を行う部分を示し、図４Ｂは、音楽フェスティバルの開催期間内や終了後の所定の期間内に処理を行う部分を示す。
【００３０】
図４Ａ，４Ｂに示したように、記録システム１は、描画装置１０と、撮影装置２０と、サーバ３０と、スマートフォン４０とを備えている。なお、記録システム１は、図１に示したように、複数の描画装置１０および複数の撮影装置２０を備えることができるが、図４Ａでは、説明の便宜上、ライブ会場１０１に設けられた１つの描画装置１０および１つの撮影装置２０のみを描いている。
【００３１】
描画装置１０（図４Ａ）は、例えば音楽フェスティバルの運営業者が所有する装置であり、リストバンド８０に対して情報を記録するものである。また、描画装置１０は、リストバンド８０から情報コードＣＤを読み取る機能をも有している。描画装置１０は、この例では、図１に示したように、ライブ会場１０１，１０２，１０３，…のそれぞれに設けられている。描画装置１０は、読取部１１と、処理部１２と、書込部１３とを有している。
【００３２】
読取部１１は、リストバンド８０から情報コードＣＤを読み取るものであり、例えば、カメラなどを用いて構成されるものである。
【００３３】
処理部１２は、情報コードＣＤに基づいて、リストバンド８０に記録すべき情報（参加履歴マークＭＨ、スケジュール情報ＩＳ、およびメッセージ情報ＩＭ）を生成するものである。具体的には、処理部１２は、まず、読取部１１が読み取った情報コードＣＤから識別情報ＩＩＤを抽出して、その識別情報ＩＩＤをサーバ３０に対して供給する。そして、処理部１２は、サーバ３０から供給された、識別情報ＩＩＤに対応する履歴データＤＨに基づいて、リストバンド８０に記録すべき情報を生成するようになっている。
【００３４】
図５は、履歴データＤＨの一例を表すものである。この履歴データＤＨは、入場者５が行ったライブへの参加申し込みの履歴を示すものである。履歴データＤＨは、参加申込情報ＩＲを含んでいる。参加申込情報ＩＲは、この例では、アーティストの名前と、そのアーティストがライブを行うライブ会場と、そのライブの開始予定時刻についての情報とを含んでいる。この例では、入場者５は、アーティストＭ１のライブと、アーティストＭ２のライブへの参加申し込みを行っている。
【００３５】
入場者５が、新たに他のライブへの参加申し込みを行う場合には、処理部１２は、サーバ３０から供給された履歴データＤＨ（図５）に、そのライブの参加申込情報ＩＲを追加することにより履歴データＤＨを更新する。そして、処理部１２は、現在時刻と、更新した履歴データＤＨとに基づいて、リストバンド８０に記録すべき情報を生成する。具体的には、処理部１２は、この例では、更新した履歴データＤＨに含まれる参加申込情報ＩＲの数と同じ数の星型マークを含む参加履歴マークＭＨを生成する。また、処理部１２は、更新した履歴データＤＨが１つの参加申込情報ＩＲを含む場合には、その参加申込情報ＩＲが示すライブについてのスケジュール情報ＩＳを生成する。また、処理部１２は、更新した履歴データＤＨが複数の参加申込情報ＩＲを含む場合には、その複数の参加申込情報ＩＲが示す複数のライブのうち、開始予定時刻が現在時刻以降である最初のライブについてのスケジュール情報ＩＳを生成する。また、処理部１２は、アーティストからのメッセージや、音楽フェスティバルの運営業者からのメッセージを含むメッセージ情報ＩＭを生成するようになっている。
【００３６】
また、処理部１２は、更新した履歴データＤＨをサーバ３０に対して供給する機能をも有している。
【００３７】
書込部１３は、リストバンド８０に情報を記録するものである。具体的には、書込部１３は、記録したい情報（文字や図形）の文字パターンや図形パターンに基づいて、赤外光をリストバンド８０の情報記録部８３に照射することにより、情報を記録する。この例では、書込部１３は、リストバンド８０に対して、参加履歴マークＭＨ、スケジュール情報ＩＳ、およびメッセージ情報ＩＭを記録している。その結果、リストバンド８０には、図２に示したような情報が記録されるようになっている。
【００３８】
撮影装置２０（図４Ａ）は、例えば音楽フェスティバルの運営業者が所有する装置であり、アーティストの演奏を動画撮影するものである。撮影装置２０は、この例では、図１に示したように、ライブ会場１０１，１０２，１０３，…のそれぞれに設けられている。そして、撮影装置２０は、撮影したライブ映像の映像データＤＴをサーバ３０に供給するようになっている。
【００３９】
サーバ３０（図４Ａ，４Ｂ）は、例えば音楽フェスティバルの運営業者が所有する装置であり、入場者５に対して様々なサービスを提供するものである。サーバ３０は、履歴管理部３１と、コンテンツ管理部３３と、販売処理部３５を有している。
【００４０】
履歴管理部３１は、音楽フェスティバルの全入場者の履歴データＤＨを管理するものである。履歴管理部３１は、履歴データベース３２を有している。履歴データベース３２は、履歴データＤＨおよび識別情報ＩＩＤが、互いに対応づけられて蓄積されたものである。
【００４１】
履歴管理部３１は、図４Ａに示したように、描画装置１０から識別情報ＩＩＤが供給された場合には、その識別情報ＩＩＤに基づいて、履歴データベース３２内のその識別情報ＩＩＤに対応づけられた履歴データＤＨを選択し、選択された履歴データＤＨを描画装置１０に供給する。また、履歴管理部３１は、描画装置１０から、更新された履歴データＤＨが供給された場合には、その更新された履歴データＤＨに基づいて、履歴データベース３２内のその識別情報ＩＩＤに対応づけられた履歴データＤＨを更新するようになっている。
【００４２】
また、履歴管理部３１は、図４Ｂに示したように、スマートフォン４０から識別情報ＩＩＤが供給された場合には、その識別情報ＩＩＤに基づいて、履歴データベース３２内のその識別情報ＩＩＤに対応づけられた履歴データＤＨを選択し、その履歴データＤＨをコンテンツ管理部３３に供給するようになっている。
【００４３】
さらに、履歴管理部３１は、例えば、音楽フェスティバルの全入場者の履歴データＤＨを解析する機能をも有している。具体的には、履歴管理部３１は、全入場者の履歴データＤＨに基づいて、例えば、音楽フェスティバルの入場者数や、ライブ毎の参加者数についての解析を行う。そして、履歴管理部３１は、図４Ｂに示したように、スマートフォン４０から識別情報ＩＩＤが供給された場合には、その解析結果をスマートフォン４０に供給するようになっている。その際、履歴管理部３１は、この例では、供給された識別情報ＩＩＤに対応づけられた履歴データＤＨを用いて、例えば、その識別情報ＩＩＤに対応する入場者５が参加したライブの数のランキングを求め、その結果をスマートフォン４０に供給する。これにより、入場者５は、自分が、他の入場者と比較して、どのくらい多くのライブへ参加しているかを知ることができるようになっている。
【００４４】
コンテンツ管理部３３は、コンテンツデータを管理するものである。コンテンツ管理部３３は、コンテンツデータベース３４を有している。コンテンツデータベース３４は、映像データＤＴ（ライブ映像）を含むコンテンツデータが蓄積されたものである。また、コンテンツデータには、映像データＤＴの他、例えば、この音楽フェスティバルにおいてライブを行う各アーティストからのビデオメッセージや、各アーティストの楽曲のプロモーションビデオなどを含んでいる。なお、コンテンツデータは、このような映像データに限定されるものではなく、写真データやテキストデータなどを含んでいてもよい。
【００４５】
コンテンツ管理部３３は、図４Ａに示したように、撮影装置２０から映像データＤＴが供給された場合には、その映像データＤＴをコンテンツデータベース３４に蓄積するようになっている。
【００４６】
また、コンテンツ管理部３３は、図４Ｂに示したように、スマートフォン４０から識別情報ＩＩＤが供給された場合には、履歴管理部３１から供給された、その識別情報ＩＩＤに対応する履歴データＤＨに基づいて、コンテンツデータベース３４内のコンテンツデータのうち、入場者５に対して提供すべきコンテンツを選択する。具体的には、コンテンツ管理部３３は、例えば、入場者５が参加したライブに係るライブ映像や、そのライブを行ったアーティストからのビデオメッセージや、そのアーティストの楽曲のプロモーションビデオなどを選択する。そして、コンテンツ管理部３３は、例えば、選択したコンテンツの一覧をスマートフォン４０に提供し、スマートフォン４０からの要求に応じて、コンテンツデータをスマートフォン４０に供給するようになっている。
【００４７】
販売処理部３５は、図４Ｂに示したように、スマートフォン４０から供給された識別情報ＩＩＤに基づいて、例えば、この音楽フェスティバルにおいてライブを行う各アーティストの各種グッズ、ＣＤ（Compact Disc）、ＢＤ（Blu-ray Disc（登録商標））、各アーティストが行う予定のライブのチケットなどを販売する処理を行うものである。
【００４８】
スマートフォン４０（図４Ｂ）は、入場者５が所有するものであり、入場者５がサーバ３０からサービスを受ける場合に操作するものである。スマートフォン４０は、読取部４１と、処理部４２とを有している。
【００４９】
読取部４１は、この例ではカメラであり、リストバンド８０から情報コードＣＤを読み取るものである。
【００５０】
処理部４２は、情報コードＣＤに基づいてサーバ３０と通信を行い、様々な処理を行うものである。具体的には、処理部４２は、読取部４１が読み取った情報コードＣＤからウェブサイト情報ＩＷＳおよび識別情報ＩＩＤを抽出する。そして、処理部４２は、このウェブサイト情報ＩＷＳに基づいてサーバ３０にアクセスし、識別情報ＩＩＤをサーバ３０に供給する。そして、処理部４２は、入場者５が、サーバ３０から提供された各種サービスをうけることができるように、処理を行うようになっている。
【００５１】
これにより、スマートフォン４０を使用する入場者５は、サーバ３０から、各種コンテンツの提供やグッズの販売などの様々なサービスを受けるようになっている。なお、この例では、スマートフォン４０を用いたが、これに限定されるものではなく、例えば、タブレットや、ＰＣ（Personal Computer）を用いてもよい。また、スマートフォン４０は、サーバ３０にアクセスする際、携帯電話網や無線ＬＡＮ（Local Area Network）などを利用して無線通信によりアクセスしてもよいし、ＵＳＢ（Universal Serial Bus）や有線ＬＡＮなどを利用して有線通信によりアクセスしてもよい。
【００５２】
ここで、描画装置１０は、本開示における「記録装置」の一具体例に対応する。リストバンド８０は、本開示における「記録媒体」の一具体例に対応する。書込部１３は、本開示における「書込部」の一具体例に対応する。処理部１２は、本開示における「生成部」の一具体例に対応する。読取部１１は、本開示における「読取部」の一具体例に対応する。参加履歴マークＭＨは、本開示における「履歴情報」の一具体例に対応する。サーバ３０は、本開示における「情報処理装置」の一具体例に対応する。スマートフォン４０は、本開示における「端末装置」の一具体例に対応する。読取部４１は、本開示における「端末読取部」の一具体例に対応する。
【００５３】
［動作および作用］
続いて、本実施の形態の記録システム１の動作および作用について説明する。
【００５４】
（全体動作概要）
まず、図４Ａ，４Ｂ参照して、記録システム１の全体動作概要を説明する。サーバ３０の履歴管理部３１は、履歴データＤＨを管理し、コンテンツ管理部３３は、ライブ映像の映像データＤＴを含むコンテンツデータを管理する。また、販売処理部３５は、各アーティストの各種グッズ、ＣＤ、ＢＤ、各アーティストが行う予定のライブのチケットなどを販売する処理を行う。音楽フェスティバルの開催期間内において、描画装置１０は、リストバンド８０から情報コードＣＤを読み取り、サーバ３０の履歴管理部３１から供給された履歴データＤＨに基づいて、リストバンド８０に対して、参加履歴マークＭＨ、スケジュール情報ＩＳ、およびメッセージ情報ＩＭを記録する。撮影装置２０は、アーティストの演奏を動画撮影し、撮影したライブ映像の映像データＤＴをサーバ３０に供給する。また、音楽フェスティバルの開催期間内や終了後の所定の期間内において、スマートフォン４０は、入場者５の操作に応じて、リストバンド８０から情報コードＣＤを読み取り、サーバ３０にアクセスする。そして、サーバ３０は、スマートフォン４０を通じて、入場者５に対して様々なサービスを提供する。
【００５５】
（詳細動作）
次に、記録システム１の詳細動作について説明する。以下に、リストバンド８０への情報の記録、映像データＤＴの蓄積、およびサーバ３０によるサービスの提供を、この順に詳細に説明する。
【００５６】
（リストバンド８０への情報の記録）
図６は、描画装置１０がリストバンド８０に情報を記録する場合の記録システム１の動作を表すものである。この例では、入場者５は、参加したいライブが行われるライブ会場に行き、そのライブへの参加申し込みを行う。そして、例えば、入場者５が、リストバンド８０をそのライブ会場の描画装置１０にかざすと、その描画装置１０はそのリストバンド８０に情報を記録する。以下に、この動作について詳細に説明する。
【００５７】
まず、入場者５がリストバンド８０を描画装置１０にかざすと、描画装置１０の読取部１１は、リストバンド８０から情報コードＣＤを読み取る（ステップＳ１０１）。
【００５８】
次に、描画装置１０の処理部１２は、ステップＳ１０１において読み取った情報コードＣＤから識別情報ＩＩＤを抽出し（ステップＳ１０２）、その識別情報ＩＩＤをサーバ３０に対して送信する（ステップＳ１０３）。サーバ３０は、その識別情報ＩＩＤを受信する。
【００５９】
次に、サーバ３０の履歴管理部３１は、ステップＳ１０３において受信した識別情報ＩＩＤに基づいて、履歴データベース３２内のその識別情報ＩＩＤに対応づけられた履歴データＤＨを選択し（ステップＳ１０４）、選択された履歴データＤＨを描画装置１０に送信する（ステップＳ１０５）。描画装置１０は、その履歴データＤＨを受信する。
【００６０】
次に、描画装置１０の処理部１２は、ステップＳ１０５において受信した履歴データＤＨに、新たに参加申し込みを行うライブの参加申込情報ＩＲを追加することにより履歴データＤＨを更新し、現在時刻と、更新された履歴データＤＨとに基づいて、リストバンド８０に記録すべき情報（参加履歴マークＭＨ、スケジュール情報ＩＳ、およびメッセージ情報ＩＭ）を生成する（ステップＳ１０６）。
【００６１】
具体的には、例えば、履歴データＤＨが、１つの参加申込情報ＩＲを含む場合には、処理部１２は、例えば１つの星型マークを含む参加履歴マークＭＨを生成する。また、処理部１２は、そのライブについてのスケジュール情報ＩＳを生成する。また、処理部１２は、アーティストからのメッセージや、音楽フェスティバルの運営業者からのメッセージを含むメッセージ情報ＩＭを生成する。
【００６２】
また、例えば、履歴データＤＨが、複数の参加申込情報ＩＲを含む場合には、処理部１２は、例えば参加申込情報ＩＲの数と同じ数の星型マークを含む参加履歴マークＭＨを生成する。また、処理部１２は、参加申し込みを行った複数のライブのうち、開始予定時刻が現在時刻以降である最初のライブについてのスケジュール情報ＩＳを生成する。また、処理部１２は、アーティストからのメッセージや、音楽フェスティバルの運営業者からのメッセージを含むメッセージ情報ＩＭを生成する。
【００６３】
次に、描画装置１０の書込部１３は、リストバンド８０に対して、ステップＳ１０６において生成した参加履歴マークＭＨ、スケジュール情報ＩＳ、およびメッセージ情報ＩＭを記録する（ステップＳ１０７）。
【００６４】
次に、描画装置１０の処理部１２は、ステップＳ１０６において更新した履歴データＤＨを、識別情報ＩＩＤとともにサーバ３０に対して送信する（ステップＳ１０８）。サーバ３０は、この履歴データＤＨおよび識別情報ＩＩＤを受信する。
【００６５】
そして、サーバ３０の履歴管理部３１は、ステップＳ１０８において受信した履歴データＤＨおよび識別情報ＩＩＤに基づいて、履歴データベース３２内のその識別情報ＩＩＤに対応づけられた履歴データＤＨを更新し、解析する（ステップＳ１０９）。
【００６６】
以上で、このシーケンスは終了する。
【００６７】
この例では、入場者５はライブへの参加申し込みを行ったが、これに代えて、新たに参加申し込みを行わずにリストバンド８０を描画装置１０にかざしてもよい。この場合には、リストバンド８０に記録された情報を更新することができる。以下に、この動作について説明する。
【００６８】
図７は、新たに参加申し込みを行わずに、リストバンド８０に記録された情報を更新する場合の記録システム１の動作を表すものである。この場合には、図６と同様に、描画装置１０は、リストバンド８０から情報コードＣＤを読み取り（ステップＳ１０１）、その情報コードＣＤから識別情報ＩＩＤを抽出して、その識別情報ＩＩＤをサーバ３０に対して送信する（ステップＳ１０２，Ｓ１０３）。そして、サーバ３０は、識別情報ＩＩＤに基づいて履歴データＤＨを選択し、選択された履歴データＤＨを描画装置１０に送信する（ステップＳ１０４，Ｓ１０５）。
【００６９】
次に、描画装置１０の処理部１２は、現在時刻と、ステップＳ１０５において受信した履歴データＤＨとに基づいて、リストバンド８０に記録すべき情報（スケジュール情報ＩＳおよびメッセージ情報ＩＭ）を生成する（ステップＳ１１６）。すなわち、この場合には、参加履歴マークＭＨには変更がないので、処理部１２は、参加履歴マークＭＨを生成しない。
【００７０】
そして、描画装置１０の書込部１３は、リストバンド８０に対して、ステップＳ１１６において生成したスケジュール情報ＩＳおよびメッセージ情報ＩＭを記録する（ステップＳ１１７）。
【００７１】
以上で、このシーケンスは終了する。
【００７２】
（映像データＤＴの蓄積）
図８は、サーバ３０が映像データＤＴをコンテンツデータベース３４に蓄積する場合の記録システム１の動作を表すものである。この例では、各ライブ会場では、ライブが開始されると、カメラマンの操作に基づき、撮影装置２０がライブ映像の撮影を行う。以下に、この動作について詳細に説明する。
【００７３】
まず、撮影装置２０は、例えばカメラマンの操作に基づき、アーティストの演奏を動画撮影する（ステップＳ１１１）。そして、撮影装置２０は、撮影したライブ映像の映像データＤＴをサーバ３０に送信する（ステップＳ１１２）。サーバ３０は、この映像データＤＴを受信する。
【００７４】
そして、サーバ３０のコンテンツ管理部３３は、ステップＳ１１２において受信した映像データＤＴをコンテンツデータベース３４に蓄積する（ステップＳ１１３）。
【００７５】
以上で、このシーケンスは終了する。
【００７６】
（サーバ３０によるサービスの提供）
図９は、入場者５がサーバ３０からサービスを受ける場合の記録システム１の動作を表すものである。この例では、入場者５がスマートフォン４０を操作することによりサーバ３０にアクセスし、サーバ３０は、スマートフォン４０を通じて、入場者５に対して様々なサービスを提供する。以下に、この動作について詳細に説明する。
【００７７】
まず、スマートフォン４０の読取部４１は、入場者５の操作に基づき、リストバンド８０から情報コードＣＤを読み取る（ステップＳ１２１）。
【００７８】
次に、スマートフォン４０の処理部４２は、ステップＳ１２１において読み取った情報コードＣＤからウェブサイト情報ＩＷＳおよび識別情報ＩＩＤを抽出し（ステップＳ１２２）、このウェブサイト情報ＩＷＳに基づいてサーバ３０にアクセスし、識別情報ＩＩＤをサーバ３０に送信する（ステップＳ１２３）。サーバ３０は、その識別情報ＩＩＤを受信する。
【００７９】
次に、サーバ３０の履歴管理部３１は、ステップＳ１２３において受信した識別情報ＩＩＤに基づいて、履歴データベース３２内のその識別情報ＩＩＤに対応づけられた履歴データＤＨを選択し、その履歴データＤＨをコンテンツ管理部３３に供給する（ステップＳ１２４）。そして、サーバ３０のコンテンツ管理部３３は、履歴管理部３１から供給された履歴データＤＨに基づいて、コンテンツデータベース３４内のコンテンツデータのうち、入場者５に対して提供すべきコンテンツを選択する。具体的には、コンテンツ管理部３３は、例えば、入場者５が参加したライブに係るライブ映像や、そのライブを行ったアーティストからのビデオメッセージや、そのアーティストの楽曲のプロモーションビデオなどを選択する。
【００８０】
次に、サーバ３０は、スマートフォン４０に対してサービスを提供する（ステップＳ１２５）。具体的には、例えば、サーバ３０の履歴管理部３１は、例えば、音楽フェスティバルの全入場者の履歴データＤＨに基づいて、例えば、音楽フェスティバルの入場者数や、ライブ毎の参加者数についての解析を行い、解析結果をスマートフォン４０に供給する。その際、履歴管理部３１は、例えば、入場者５が参加したライブの数のランキングを求め、その結果をスマートフォン４０に供給する。また、サーバ３０のコンテンツ管理部３３は、ステップＳ１２４において選択したコンテンツの一覧をスマートフォン４０に提供し、スマートフォン４０からの要求に応じて、コンテンツデータをスマートフォン４０に供給する。また、販売処理部３５は、この音楽フェスティバルにおいてライブを行う各アーティストの各種グッズ、ＣＤ、ＢＤ、各アーティストが行う予定のライブのチケットなどを販売する。
【００８１】
そして、サーバ３０は、サーバ３０へのアクセス履歴を解析する（ステップＳ１２６）。
【００８２】
以上で、このシーケンスは終了する。
【００８３】
このように、記録システム１では、現在時刻および履歴データＤＨに応じたスケジュール情報ＩＳを、リストバンド８０に記録するようにした。特に、履歴データＤＨが、複数のライブへの参加申し込みを示す場合には、記録システム１は、その複数のライブのうち、開始予定時刻が現在時刻以降である最初のライブについてのスケジュール情報ＩＳを記録するようにした。これにより、例えば、入場者５が参加しているライブが終了し、例えば入場者５がリストバンド８０を描画装置１０にかざすと、スケジュール情報ＩＳは、次に参加予定であるライブについてのスケジュール情報ＩＳに書き換えられる。このように、記録システム１では、時刻に応じてスケジュールが書き換えられるので、入場者５は、自らの手首に装着されたリストバンド８０を見ることにより、自らの今後のスケジュールを容易に確認することができる。
【００８４】
すなわち、例えば、音楽フェスティバルの運営業者がライブの予定表を印刷した紙を配布した場合には、入場者５は、その予定表から必要な情報を探し出す手間がかかる。また、例えば、音楽フェスティバルの運営業者がライブの予定表をウェブサイトで公開した場合には、入場者５は、そのウェブサイトにアクセスする手間がかかる。記録システム１では、入場者５は、自らの手首に装着されたリストバンド８０を見ることにより、自らが次に参加する予定であるライブについての情報を容易に確認することができる。その結果、記録システム１では、ユーザの利便性を高めることができる。
【００８５】
また、記録システム１では、リストバンド８０に参加履歴マークＭＨを記録するようにした。これにより、入場者５は、ライブへの参加度合いを直感的に感じることができ、満足感を得ることができる。また、周囲の人々（入場者）も、その入場者５のライブへの参加度合いを知ることができ、入場者間でコミュニケーションが生まれるきっかけにもなり得る。その結果、入場者５は音楽フェスティバルをより一層楽しむことができる。
【００８６】
また、記録システム１では、リストバンド８０にメッセージ情報ＩＭを記録するようにしたので、アーティストや音楽フェスティバルの運営業者からのメッセージを、入場者５に対してより確実に伝えることができる。例えば、ライブの開始予定時刻に変更が生じた場合やライブ会場に変更が生じた場合に、放送での周知に加えてリストバンド８０に記録することにより、入場者５に対してより確実にスケジュールの変更を伝えることができる。
【００８７】
また、記録システム１では、リストバンド８０に情報コードＣＤを記録するようにしたので、描画装置１０やスマートフォン４０などの電子機器がこの情報コードＣＤに基づいて処理を行うことができるため、ユーザの利便性を高めることができる。この例では、情報コードＣＤに識別情報ＩＩＤおよびウェブサイト情報ＩＷＳを記録するようにした。これにより、記録システム１では、識別情報ＩＩＤを用いて、そのリストバンド８０に対応する履歴データＤＨを特定することができ、その履歴データＤＨに基づいて様々な処理を行うことができる。また、記録システム１では、スマートフォン４０が、ウェブサイト情報ＩＷＳを用いて、サーバ３０に容易にアクセスすることができので、入場者５は、履歴データＤＨに応じた様々なサービスの提供を受けることができる。
【００８８】
例えば、記録システム１では、履歴データＤＨに基づいて、コンテンツデータベース３４内のコンテンツデータのうち、入場者５に対して提供すべきコンテンツを選択するようにした。具体的には、例えば、入場者５が参加したライブに係るライブ映像や、そのライブを行ったアーティストからのビデオメッセージや、そのアーティストの楽曲のプロモーションビデオなどを選択した。これにより、記録システム１では、自らが興味のあるアーティストについての情報が選択され入場者５に提供されるので、ユーザの利便性を高めることができる。
【００８９】
［効果］
以上のように本実施の形態では、現在時刻および履歴データに応じたスケジュール情報を、リストバンドに記録するようにしたので、ユーザの利便性を高めることができる。
【００９０】
［変形例１−１］
上記実施の形態では、サーバ３０が履歴データＤＨを管理したが、これに限定されるものではない。これに代えて、例えば、リストバンドの情報コードＣＤに履歴データＤＨを記録してもよい。以下に、本変形例に係る記録システム１Ｂについて詳細に説明する。
【００９１】
図１０Ａ，１０Ｂは、本変形例に係る記録システム１Ｂの一構成例を表すものである。本変形例に係るリストバンド８０Ｂの情報コードＣＤには、履歴データＤＨおよびウェブサイト情報ＩＷＳが記録されている。すなわち、上記実施の形態では、情報コードＣＤに識別情報ＩＩＤおよびウェブサイト情報ＩＷＳを記録したが、本変形例では、情報コードＣＤに履歴データＤＨおよびウェブサイト情報ＩＷＳを記録している。記録システム１Ｂは、描画装置１０Ｂと、撮影装置２０と、サーバ３０Ｂと、スマートフォン４０Ｂとを備えている。
【００９２】
描画装置１０Ｂ（図１０Ａ）は、処理部１２Ｂを有している。処理部１２Ｂは、情報コードＣＤに基づいて、リストバンド８０Ｂに記録すべき情報（参加履歴マークＭＨ、スケジュール情報ＩＳ、メッセージ情報ＩＭ、および情報コードＣＤ）を生成するものである。具体的には、処理部１２Ｂは、読取部１１が読み取った情報コードＣＤから履歴データＤＨを抽出し、その履歴データＤＨに基づいて、リストバンド８０Ｂに記録すべき情報を生成するようになっている。すなわち、上記実施の形態では、処理部１２は、情報コードＣＤに含まれる識別情報ＩＩＤに基づいてサーバ３０から履歴データＤＨを取得したが、本変形例では、処理部１２Ｂは、情報コードＣＤから履歴データＤＨを直接取得している。
【００９３】
入場者５が、例えば、新たに他のライブに参加申し込みをした場合には、処理部１２Ｂは、履歴データＤＨに、そのライブの参加申込情報ＩＲを追加することにより履歴データＤＨを更新する。そして、処理部１２Ｂは、上記実施の形態に係る処理部１２と同様に、現在時刻と、更新した履歴データＤＨとに基づいて、リストバンド８０Ｂに記録すべき情報を生成するようになっている。
【００９４】
また、処理部１２Ｂは、処理部１２Ｂが処理した内容を示す処理データＤＰをサーバ３０Ｂに対して供給する機能をも有している。この例では、処理データＤＰは、アーティストＭ３のライブに参加申し込みが行われたことを示す情報を含んでいる。
【００９５】
そして、書込部１３は、リストバンド８０Ｂに対して、参加履歴マークＭＨ、スケジュール情報ＩＳ、メッセージ情報ＩＭ、および情報コードＣＤを記録するようになっている。
【００９６】
サーバ３０Ｂ（図１０Ａ，１０Ｂ）は、入場者５に対して様々なサービスを提供するものである。サーバ３０Ｂは、解析部３１Ｂを有している。解析部３１Ｂは、描画装置１０Ｂから供給された処理データＤＰを蓄積するとともに解析するものである。具体的には、解析部３１Ｂは、蓄積された処理データＤＰに基づいて、例えば、音楽フェスティバルの入場者数や、ライブ毎の参加者数についての解析を行う。そして、解析部３１Ｂは、図１０Ｂに示したように、スマートフォン４０Ｂから履歴データＤＨが供給された場合には、その解析結果をスマートフォン４０Ｂに供給するようになっている。その際、解析部３１Ｂは、この履歴データＤＨを用いて、例えば、入場者５が参加したライブの数のランキングを求め、その結果をスマートフォン４０Ｂに供給してもよい。
【００９７】
スマートフォン４０Ｂ（図１０Ｂ）は、処理部４２Ｂを有している。処理部４２Ｂは、情報コードＣＤに基づいてサーバ３０Ｂと通信を行い、様々な処理を行うものである。具体的には、処理部４２Ｂは、読取部４１が読み取った情報コードＣＤからウェブサイト情報ＩＷＳおよび履歴データＤＨを抽出する。そして、処理部４２Ｂは、このウェブサイト情報ＩＷＳに基づいてサーバ３０Ｂにアクセスし、履歴データＤＨをサーバ３０Ｂに供給する。そして、処理部４２Ｂは、入場者５が、サーバ３０Ｂから提供された各種サービスをうけることができるように、処理を行うようになっている。
【００９８】
（リストバンド８０Ｂへの情報の記録）
図１１は、入場者５がライブへの参加申し込みを行い、描画装置１０Ｂがリストバンド８０Ｂに情報を記録する場合の記録システム１Ｂの動作を表すものである。
【００９９】
まず、入場者５がリストバンド８０Ｂを描画装置１０Ｂにかざすと、描画装置１０Ｂの読取部１１は、リストバンド８０Ｂから情報コードＣＤを読み取る（ステップＳ１３１）。
【０１００】
次に、描画装置１０Ｂの処理部１２Ｂは、ステップＳ１３１において読み取った情報コードＣＤから履歴データＤＨを抽出する（ステップＳ１３２）。そして、処理部１２Ｂは、その履歴データＤＨに、新たに参加申し込みを行うライブの参加申込情報ＩＲを追加することにより履歴データＤＨを更新し、現在時刻と、更新された履歴データＤＨとに基づいて、リストバンド８０Ｂに記録すべき情報（参加履歴マークＭＨ、スケジュール情報ＩＳ、メッセージ情報ＩＭ、および情報コードＣＤ）を生成する（ステップＳ１３６）。
【０１０１】
次に、描画装置１０Ｂの書込部１３は、リストバンド８０Ｂに対して、ステップＳ１３６において生成した参加履歴マークＭＨ、スケジュール情報ＩＳ、メッセージ情報ＩＭ、および情報コードＣＤを記録する（ステップＳ１３７）。
【０１０２】
次に、描画装置１０Ｂの処理部１２Ｂは、ステップＳ１３６において、ライブへの参加申し込みについてのデータを追加した旨を示す処理データＤＰをサーバ３０Ｂに対して送信する（ステップＳ１３８）。サーバ３０Ｂは、この処理データＤＰを受信する。
【０１０３】
次に、サーバ３０Ｂの解析部３１Ｂは、ステップＳ１３８において受信した処理データＤＰを蓄積し解析する（ステップＳ１３９）。
【０１０４】
図１２は、新たに参加申し込みを行わずに、リストバンド８０Ｂに記録された情報を更新する場合の記録システム１Ｂの動作を表すものである。この場合には、図１１と同様に、描画装置１０Ｂは、リストバンド８０Ｂから情報コードＣＤを読み取り（ステップＳ１３１）、その情報コードＣＤから履歴データＤＨを抽出する（ステップＳ１３２）。
【０１０５】
次に、描画装置１０Ｂの処理部１２Ｂは、現在時刻と、ステップＳ１３２において抽出した履歴データＤＨとに基づいて、リストバンド８０Ｂに記録すべき情報（スケジュール情報ＩＳおよびメッセージ情報ＩＭ）を生成する（ステップＳ１３５）。すなわち、この場合には、参加履歴マークＭＨおよび情報コードＣＤ（履歴データＤＨ）には変更がないので、処理部１２は、参加履歴マークＭＨおよび情報コードＣＤを生成しない。
【０１０６】
そして、描画装置１０の書込部１３は、リストバンド８０Ｂに対して、ステップＳ１３５において生成したスケジュール情報ＩＳおよびメッセージ情報ＩＭを記録する（ステップＳ１３７）。
【０１０７】
（サーバ３０Ｂによるサービスの提供）
図１３は、入場者５がサーバ３０Ｂからサービスを受ける場合の記録システム１Ｂの動作を表すものである。
【０１０８】
まず、スマートフォン４０Ｂの読取部４１は、入場者５の操作に基づき、リストバンド８０Ｂから情報コードＣＤを読み取る（ステップＳ１４１）。
【０１０９】
次に、スマートフォン４０Ｂの処理部４２Ｂは、ステップＳ１４１において読み取った情報コードＣＤからウェブサイト情報ＩＷＳおよび履歴データＤＨを抽出し（ステップＳ１４２）、このウェブサイト情報ＩＷＳに基づいてサーバ３０Ｂにアクセスし、履歴データＤＨをサーバ３０Ｂに送信する（ステップＳ１４３）。サーバ３０Ｂは、その履歴データＤＨを受信する。
【０１１０】
次に、サーバ３０Ｂのコンテンツ管理部３３は、ステップＳ１４３において受信した履歴データＤＨに基づいて、コンテンツデータベース３４内のコンテンツデータのうち、入場者５に対して提供すべきコンテンツを選択する（ステップＳ１４４）。
【０１１１】
そして、サーバ３０Ｂは、スマートフォン４０Ｂに対してサービスを提供し（ステップＳ１４５）、サーバ３０Ｂへのアクセス履歴を解析する（ステップＳ１４６）。
【０１１２】
［変形例１−２］
上記実施の形態では、リストバンドの情報記録部８３（図３）に、３つの記録層９２，９４，９６を設けたが、これに限定されるものではなく、２つ以下の記録層を設けてもよいし、４つ以上の記録層を設けてもよい。
【０１１３】
［変形例１−３］
上記実施の形態では、１つのサーバ３０を設け、このサーバ３０が、履歴管理部３１、コンテンツ管理部３３、および販売処理部３５を有するようにしたが、これに限定されるものではない。これに代えて、例えば、複数のサーバを設けてもよい。例えば、履歴管理部３１を有するサーバと、コンテンツ管理部３３を有するサーバと、販売処理部３５を有するサーバとを設けてもよい。
【０１１４】
［その他の変形例］
上記実施の形態では、本技術を音楽フェスティバルに適用したが、これに限定されるものではない。本技術は、例えば、展示会、ワークショップなどの様々なイベントに適用することができる。以下に、本技術を展示会に適用した場合について説明する。この展示会の会場には、展示ブースの他、複数のセミナー会場があり、入場者は、各セミナー会場において催されるセミナーに参加することができるようになっている。入場者は、展示会の会場の受付においてリストバンドを受け取る。入場者は、参加したいセミナーが行われるセミナー会場に行き、そのセミナーの参加費用を支払うと、そのセミナー会場の描画装置がリストバンドに情報を記録する。各セミナー会場では、撮影装置が、セミナーの講師による講演を動画撮影し、撮影した映像をサーバに供給する。これにより、サーバには、様々な映像が蓄積される。入場者は、展示会の開催期間内や終了後の所定の期間内において、リストバンドに記録された情報コードを利用して、例えばスマートフォンを用いてサーバにアクセスすることができる。これにより、入場者は、例えば自らが参加したセミナーに係る映像を、有償または無償で取得することができる。また、入場者は、このサーバにアクセスすることにより、セミナーの内容に関連する書籍の販売などの様々なサービスを受けることができる。
【０１１５】
＜２．第２の実施の形態＞
次に、第２の実施の形態に係る記録システム２について説明する。なお、上記第１の実施の形態に係る記録システム１と実質的に同一の構成部分には同一の符号を付し、適宜説明を省略する。
【０１１６】
図１４は、第２の実施の形態に係る記録システム２が適用されるアミューズメントパーク２００の一例を表すものである。このアミューズメントパーク２００には、複数のアトラクション２０１，２０２，…が設けられている。このアミューズメントパーク２００では、アトラクションの待ち時間を削減するために、各入場者５は、例えば所定回数だけ、アトラクションの搭乗予約を行うことができるようになっている。
【０１１７】
このアミューズメントパーク２００では、入場者５は、入場ゲート２０９においてリストバンド１８０を受け取る。そして、入場者５は、アトラクションの搭乗予約を行う場合には、そのアトラクションの搭乗予約スポットの描画装置１１０にリストバンド１８０をかざす。また、入場者５は、そのアトラクションに搭乗する場合には、そのアトラクションの入り口の描画装置１１０にリストバンド１８０をかざす。これにより、描画装置１１０がリストバンド１８０に情報を記録する。各アトラクションでは、入場者５が搭乗を待っているときや、搭乗しているときに、撮影装置１２０が入場者５を撮影し、撮影した写真データＤＴ２をサーバ１３０に供給する。入場者５は、その写真を購入したい場合には、写真販売スポット２１１に行き、印刷装置１５０にリストバンド１８０をかざす。これにより、印刷装置１５０が、入場者５の操作に基づいて写真を印刷する。
【０１１８】
入場者５は、リストバンド１８０に記録された情報コードＣＤを利用して、例えばスマートフォン１４０を用いてサーバ１３０にアクセスすることができる。これにより、入場者５は、例えばアミューズメントパーク２００内において、このサーバ１３０にアクセスすることにより、例えばレストランの予約を行うことができる。また、アミューズメントパーク２００に行った日から所定の期間内において、このサーバ１３０にアクセスすることにより、入場者５は、写真データＤＴ２の販売や、このアミューズメントパーク２００に係るグッズの販売などの様々なサービスを受けることができるようになっている。
【０１１９】
図１５は、リストバンド１８０の一構成例を表す。リストバンド１８０は、情報記録部１８３を有している。情報記録部１８３には、搭乗履歴マークＭＨ２と、スケジュール情報ＩＳ（スケジュール情報ＩＳ１〜ＩＳ３）と、情報コードＣＤとが記録されている。
【０１２０】
搭乗履歴マークＭＨ２は、アミューズメントパーク２００において、そのリストバンド１８０を装着した入場者５が搭乗したアトラクションの数を示すものである。この例では、アトラクションに搭乗するほど、多くの星形マークが搭乗履歴マークＭＨ２として記録されるようになっている。なお、これに限定されるものではなく、例えば、入場者５が搭乗したアトラクションの数によって、マークの色が変化するようにしてもよい。
【０１２１】
スケジュール情報ＩＳは、この例では、入場者５の今後のスケジュールを示すものである。この例では、入場者５が予約したイベントや、アミューズメントパーク２００において催されるイベントを含む全てのイベントのうち、現在時刻以降に予定されている最初の３件についての情報が、３つのスケジュール情報ＩＳ１〜ＩＳ３として記録される。具体的には、この例では、入場者５が搭乗予約を行ったアトラクション名（アトラクション２０１）と、その搭乗予定時刻が、スケジュール情報ＩＳ１として記録されている。また、パレードなどのパーク内のイベントと、その開始予定時刻が、スケジュール情報ＩＳ２として記録されている。また、入場者５があらかじめ予約したレストランと、その食事予定時刻がスケジュール情報ＩＳ３として記録されている。
【０１２２】
情報コードＣＤには、リストバンド１８０を識別するための識別情報ＩＩＤや、サーバ１３０にアクセスするためのウェブサイト情報ＩＷＳが記録されている。
【０１２３】
図１６Ａ，１６Ｂは、記録システム２の一構成例を表すものである。記録システム２は、描画装置１１０と、撮影装置１２０と、印刷装置１５０と、スマートフォン１４０と、サーバ１３０とを備えている。なお、記録システム２は、図１４に示したように、複数の描画装置１１０および複数の撮影装置１２０を備えることができるが、図１６Ａでは、説明の便宜上、アトラクション２０１に設けられた１つの描画装置１１０および１つの撮影装置１２０のみを描いている。
【０１２４】
描画装置１１０（図１６Ａ）は、例えばアミューズメントパーク２００の運営業者が所有する装置であり、リストバンド１８０から情報コードＣＤを読み取るとともに、リストバンド１８０に対して情報を記録するものである。描画装置１１０は、この例では、図１４に示したように、アトラクション２０１，２０２，…のそれぞれに設けられている。描画装置１１０は、読取部１１１と、イベント記憶部１１４と、処理部１１２と、書込部１１３とを有している。
【０１２５】
読取部１１１は、上記第１の実施の形態に係る読取部１１と同様に、リストバンド１８０から情報コードＣＤを読み取るものである。
【０１２６】
イベント記憶部１１４は、アミューズメントパーク２００において、その日に予定されているイベントのスケジュールを示すイベントスケジュールデータＤＥを記憶するものである。
【０１２７】
図１７は、イベントスケジュールデータＤＥの一例を表すものである。この例では、イベントスケジュールデータＤＥは、アミューズメントパーク２００で行われるイベントの名前と、そのイベントが行われる場所および予定時刻についての情報を含んでいる。
【０１２８】
処理部１１２は、情報コードＣＤに基づいて、リストバンド１８０に記録すべき情報（搭乗履歴マークＭＨ２およびスケジュール情報ＩＳ）を生成するものである。具体的には、処理部１１２は、まず、読取部１１が読み取った情報コードＣＤから識別情報ＩＩＤを抽出して、その識別情報ＩＩＤをサーバ１３０に対して供給する。そして、処理部１１２は、イベント記憶部１１４に記憶されたイベントスケジュールデータＤＥと、サーバ１３０から供給された、識別情報ＩＩＤに対応する履歴データＤＨとに基づいて、リストバンド１８０に記録すべき情報を生成するようになっている。
【０１２９】
図１８は、履歴データＤＨの一例を表すものである。この履歴データＤＨは、この例では、処理の内容と、処理の対象となる場所と、処理された時刻と、予定時刻についての情報を含んでいる。この例では、入場者５は、８時３０分にアトラクション２０１の搭乗予約を行っている。このアトラクション２０１の搭乗予定時刻は、“９時５０分〜１０時５０分”である。また、この例では、入場者５は、“９時”にレストラン２２１の予約を行っている。このレストラン２２１での食事の予定時刻は“１２時”である。また、この例では、入場者５は、９時１０分にアトラクション２０２に搭乗している。
【０１３０】
入場者５が、例えば、新たにアトラクション２０３に搭乗する場合には、処理部１１２は、サーバ１３０から供給された履歴データＤＨ（図１８）に、そのアトラクション２０３への搭乗を示すデータを追加することにより履歴データＤＨを更新する。そして、処理部１１２は、現在時刻と、イベントスケジュールデータＤＥと、更新した履歴データＤＨとに基づいて、リストバンド１８０に記録すべき情報を生成する。具体的には、例えば、処理部１１２は、履歴データＤＨに基づいて、搭乗したアトラクションの数と同じ数の星型マークを含む搭乗履歴マークＭＨ２を生成する。また、処理部１１２は、この例では、イベントスケジュールデータＤＥおよび履歴データＤＨに含まれる、入場者５が予約したイベントや、アミューズメントパーク２００において催されるイベントを含む全てのイベントのうち、現在時刻以降に予定されている最初の３件についての情報に基づいて、スケジュール情報ＩＳを生成するようになっている。
【０１３１】
また、処理部１１２は、上記第１の実施の形態に係る処理部１２と同様に、更新した履歴データＤＨをサーバ１３０に対して供給する機能をも有している。
【０１３２】
書込部１１３は、上記第１の実施の形態に係る書込部１３と同様に、リストバンド１８０に情報を記録するものである。
【０１３３】
撮影装置１２０（図１６Ａ）は、例えばアミューズメントパーク２００の運営業者が所有する装置であり、入場者５を写真撮影するものである。撮影装置１２０は、この例では、図１４に示したように、アトラクション２０１，２０２，…のそれぞれに設けられている。撮影装置１２０は、読取部１２１と、撮影部１２２と、処理部１２３とを有している。
【０１３４】
読取部１２１は、上記第１の実施の形態に係る読取部１１と同様に、リストバンド１８０から情報コードＣＤを読み取るものである。
【０１３５】
撮影部１２２は、入場者５が搭乗を待っているときや、搭乗しているときに、入場者５を写真撮影して、写真データＤＴ２を生成するものである。
【０１３６】
処理部１２３は、写真データＤＴ２をサーバ１３０に供給するものである。具体的には、処理部１２３は、読取部１２１が読み取った情報コードＣＤから識別情報ＩＩＤを抽出し、撮影部１２２が生成した写真データＤＴ２を、その識別情報ＩＩＤとともにサーバ１３０に対して供給するようになっている。
【０１３７】
印刷装置１５０（図１６Ａ）は、例えばアミューズメントパーク２００の運営業者が所有する装置であり、入場者５が、撮影装置１２０が撮影した写真を購入する場合に、写真を印刷するものである。印刷装置１５０は、この例では、図１４に示したように、写真販売スポット２１１に設けられている。印刷装置１５０は、読取部１５１と、処理部１５２と、印刷部１５３とを有している。
【０１３８】
読取部１５１は、上記第１の実施の形態に係る読取部１１と同様に、リストバンド１８０から情報コードＣＤを読み取るものである。
【０１３９】
処理部１５２は、情報コードＣＤに基づいて、サーバ１３０から入場者５に係る写真データＤＴ２を取得するものである。具体的には、処理部１５２は、読取部１５１が読み取った情報コードＣＤから識別情報ＩＩＤを抽出して、その識別情報ＩＩＤをサーバ１３０に対して供給し、その識別情報ＩＩＤに対応する写真データＤＴ２をサーバ１３０から取得するようになっている。また、処理部１５２は、写真データＤＴ２を編集する機能をも有している。具体的には、処理部１５２は、例えば、入場者５の操作に応じて、色の補正や、トリミング、写真枠の追加などを行うことができるようになっている。
【０１４０】
印刷部１５３は、写真データＤＴ２に基づいて、写真用紙に印刷を行うものである。写真用紙は、一般的な写真用紙であってもよいし、裏面がシールになっている写真用紙であってもよい。
【０１４１】
スマートフォン１４０（図１６Ａ，１６Ｂ）は、入場者５が所有するものであり、入場者５が、レストランの予約や、写真やグッズの販売などのサービスを受ける場合に操作するものである。スマートフォン１４０は、読取部１４１と、処理部１４２とを有している。
【０１４２】
読取部１４１は、上記第１の実施の形態に係る読取部４１と同様に、リストバンド１８０から情報コードＣＤを読み取るものである。
【０１４３】
処理部１４２は、情報コードＣＤに基づいてサーバ１３０と通信を行い、様々な処理を行うものである。具体的には、処理部１４２は、読取部１４１が読み取った情報コードＣＤからウェブサイト情報ＩＷＳおよび識別情報ＩＩＤを抽出する。そして、処理部１４２は、このウェブサイト情報ＩＷＳに基づいてサーバ１３０にアクセスし、識別情報ＩＩＤをサーバ１３０に供給する。そして、処理部１４２は、入場者５が、サーバ１３０から提供された、レストランの予約や写真やグッズの販売などの各種サービスを受けることができるように、処理を行うようになっている。
【０１４４】
サーバ１３０（図１６Ａ，１６Ｂ）は、例えばアミューズメントパーク２００の運営業者が所有する装置であり、入場者５に対して様々なサービスを提供するものである。サーバ１３０は、履歴管理部１３１と、写真管理部１３３と、販売処理部１３５と、レストラン予約処理部１３６とを有している。
【０１４５】
履歴管理部１３１は、アミューズメントパーク２００の全入場者の履歴データＤＨを管理するものである。履歴管理部１３１は、履歴データベース１３２を有している。履歴データベース１３２は、履歴データＤＨおよび識別情報ＩＩＤが、互いに対応づけられて蓄積されたものである。
【０１４６】
履歴管理部１３１は、図１６Ａに示したように、描画装置１１０から識別情報ＩＩＤが供給された場合には、その識別情報ＩＩＤに基づいて、履歴データベース１３２内のその識別情報ＩＩＤに対応づけられた履歴データＤＨを選択し、選択された履歴データＤＨを描画装置１１０に供給する。また、履歴管理部１３１は、描画装置１１０から、更新された履歴データＤＨが供給された場合には、その更新された履歴データＤＨに基づいて、履歴データベース１３２内のその識別情報ＩＩＤに対応づけられた履歴データＤＨを更新するようになっている。
【０１４７】
また、履歴管理部１３１は、図１６Ａに示したように、スマートフォン１４０から識別情報ＩＩＤが供給された場合には、その識別情報ＩＩＤに基づいて、履歴データベース１３２内のその識別情報ＩＩＤに対応づけられた履歴データＤＨを選択し、選択された履歴データＤＨをレストラン予約処理部１３６に供給する。また、履歴管理部１３１は、レストラン予約処理部１３６から、更新された履歴データＤＨが供給された場合には、その更新された履歴データＤＨに基づいて、履歴データベース１３２内のその識別情報ＩＩＤに対応づけられた履歴データＤＨを更新するようになっている。
【０１４８】
さらに、履歴管理部１３１は、例えば、アミューズメントパーク２００の全入場者の履歴データＤＨを解析する機能をも有している。具体的には、履歴管理部１３１は、全入場者の履歴データＤＨに基づいて、例えば、１日ごとの、アミューズメントパーク２００の入場者数や、アトラクション毎の搭乗者数についての解析を行う。そして、履歴管理部１３１は、図１６Ｂに示したように、スマートフォン１４０から識別情報ＩＩＤが供給された場合には、その解析結果をスマートフォン１４０に供給するようになっている。その際、履歴管理部１３１は、この例では、識別情報ＩＩＤに対応づけられた履歴データＤＨを用いて、入場者５が、アミューズメントパーク２００への何人目の入場者であるかについての情報や、アトラクションの何人目の搭乗者であるかについての情報などを、スマートフォン１４０に供給する。また、履歴管理部１３１は、例えば、その入場者５がアミューズメントパーク２００へ入場した日の天気やその日のニュースなどについての情報を、スマートフォン１４０に供給してもよい。
【０１４９】
写真管理部１３３は、写真データＤＴ２を管理するものである。写真管理部１３３は、写真データベース１３４を有している。写真データベース１３４は、写真データＤＴ２および識別情報ＩＩＤが、互いに対応づけられて蓄積されたものである。
【０１５０】
写真管理部１３３は、図１６Ａに示したように、撮影装置１２０から写真データＤＴ２および識別情報ＩＩＤが供給された場合には、その写真データＤＴ２および識別情報ＩＩＤを互いに対応づけて写真データベース１３４に蓄積する。また、写真管理部１３３は、印刷装置１５０から識別情報ＩＩＤが供給された場合には、その識別情報ＩＩＤに基づいて、写真データベース１３４内のその識別情報ＩＩＤに対応づけられた写真データＤＴ２を選択し、選択された写真データＤＴ２を印刷装置１５０に供給するようになっている。
【０１５１】
また、写真管理部１３３は、図１６Ｂに示したように、スマートフォン１４０から識別情報ＩＩＤが供給された場合には、その識別情報ＩＩＤに基づいて、写真データベース１３４内のその識別情報ＩＩＤに対応づけられた写真データＤＴ２を選択する。そして、写真管理部１３３は、例えば、選択した写真データＤＴ２の一覧（サムネイル）をスマートフォン１４０に提供し、スマートフォン１４０からの要求に応じて、写真データＤＴ２をスマートフォン１４０に供給するようになっている。
【０１５２】
販売処理部１３５は、図１６Ｂに示したように、スマートフォン１４０から供給された識別情報ＩＩＤに基づいて、例えば、アミューズメントパーク２００の各種グッズなどを販売する処理を行うものである。
【０１５３】
レストラン予約処理部１３６は、アミューズメントパーク２００内のレストランの予約処理を行うものである。具体的には、レストラン予約処理部１３６は、図１６Ａに示したように、スマートフォン１４０から識別情報ＩＩＤが供給された場合に、例えば、アミューズメントパーク２００内のレストランの一覧や各レストランの情報をスマートフォン１４０に提供し、スマートフォン１４０からの要求に応じて、レストランの予約処理を行う。そして、レストラン予約処理部１３６は、履歴管理部１３１から供給された、その識別情報ＩＩＤに対応する履歴データＤＨに対して、その予約処理を示すデータを追加することにより履歴データＤＨを更新し、更新された履歴データＤＨを履歴管理部１３１に供給するようになっている。
【０１５４】
ここで、描画装置１１０は、本開示における「記録装置」の一具体例に対応する。イベントスケジュールデータＤＥは、本開示における「所定のスケジュールデータ」の一具体例に対応する。搭乗履歴マークＭＨ２は、本開示における「履歴情報」の一具体例に対応する。サーバ１３０は、本開示における「情報処理装置」の一具体例に対応する。スマートフォン１４０は、本開示における「端末装置」の一具体例に対応する。
【０１５５】
（リストバンド１８０への情報の記録）
図１９は、描画装置１１０がリストバンド１８０に情報を記録する場合の記録システム２の動作を表すものである。この例では、入場者５が、アトラクションに搭乗する際に、そのアトラクションの入り口の描画装置１１０にリストバンド１８０をかざすと、その描画装置１１０はそのリストバンド１８０に情報を記録する。なお、この例では、アトラクションに搭乗する場合を例に説明するが、アトラクションの搭乗予約を行う場合も同様である。すなわち、この場合には、入場者５が、そのアトラクションの搭乗予約スポットの描画装置１１０にリストバンド１８０をかざすと、その描画装置１１０はそのリストバンド１８０に情報を記録する。以下に、この動作について詳細に説明する。
【０１５６】
まず、入場者５がリストバンド１８０を描画装置１１０にかざすと、描画装置１１０の読取部１１１は、リストバンド１８０から情報コードＣＤを読み取る（ステップＳ２０１）。
【０１５７】
次に、描画装置１１０の処理部１１２は、ステップＳ２０１において読み取った情報コードＣＤから識別情報ＩＩＤを抽出し（ステップＳ２０２）、その識別情報ＩＩＤをサーバ１３０に対して送信する（ステップＳ２０３）。サーバ１３０は、その識別情報ＩＩＤを受信する。
【０１５８】
次に、サーバ１３０の履歴管理部１３１は、ステップＳ２０３において受信した識別情報ＩＩＤに基づいて、履歴データベース１３２内のその識別情報ＩＩＤに対応づけられた履歴データＤＨを選択し（ステップＳ２０４）、選択された履歴データＤＨを描画装置１１０に送信する（ステップＳ２０５）。描画装置１１０は、その履歴データＤＨを受信する。
【０１５９】
次に、描画装置１１０の処理部１１２は、ステップＳ２０５において受信した履歴データＤＨに、アトラクションへの搭乗についてのデータを追加することにより履歴データＤＨを更新し、現在時刻と、更新された履歴データＤＨと、イベント記憶部１１４に記憶されたイベントスケジュールデータＤＥとに基づいて、リストバンド１８０に記録すべき情報（搭乗履歴マークＭＨ２およびスケジュール情報ＩＳ）を生成する（ステップＳ２０６）。具体的には、処理部１１２は、履歴データＤＨに基づいて、搭乗したアトラクションの数と同じ数の星型マークを含む搭乗履歴マークＭＨ２を生成する。また、処理部１１２は、この例では、イベントスケジュールデータＤＥおよび履歴データＤＨに含まれる、入場者５が予約したイベントや、アミューズメントパーク２００において催されるイベントを含む全てのイベントのうち、現在時刻以降に予定されている最初の３件についての情報に基づいて、スケジュール情報ＩＳを生成する。なお、アトラクションの搭乗予約を行う場合には、搭乗履歴マークＭＨ２には変更がないので、搭乗履歴マークＭＨ２の生成を省いてもよい。
【０１６０】
次に、描画装置１１０の書込部１１３は、リストバンド１８０に対して、ステップＳ２０６において生成した搭乗履歴マークＭＨ２およびスケジュール情報ＩＳを記録する（ステップＳ２０７）。なお、アトラクションの搭乗予約を行う場合には、搭乗履歴マークＭＨ２には変更がないので、リストバンド１８０に対する搭乗履歴マークＭＨ２の記録を省いてもよい。
【０１６１】
次に、描画装置１１０の処理部１１２は、ステップＳ２０６において更新した履歴データＤＨを、識別情報ＩＩＤとともにサーバ１３０に対して送信する（ステップＳ２０８）。サーバ１３０は、この履歴データＤＨおよび識別情報ＩＩＤを受信する。
【０１６２】
そして、サーバ１３０の履歴管理部１３１は、ステップＳ２０８において受信した履歴データＤＨおよび識別情報ＩＩＤに基づいて、履歴データベース１３２内のその識別情報ＩＩＤに対応づけられた履歴データＤＨを更新し、解析する（ステップＳ２０９）。
【０１６３】
以上で、このシーケンスは終了する。
【０１６４】
図２０は、搭乗や搭乗予約などを行わずに、リストバンド１８０に記録された情報を更新する場合の記録システム２の動作を表すものである。この場合には、図１９と同様に、描画装置１１０は、リストバンド１８０から情報コードＣＤを読み取り（ステップＳ２０１）、その情報コードＣＤから識別情報ＩＩＤを抽出して、その識別情報ＩＩＤをサーバ１３０に対して送信する（ステップＳ２０２，Ｓ２０３）。そして、サーバ１３０は、識別情報ＩＩＤに基づいて履歴データＤＨを選択し、選択された履歴データＤＨを描画装置１１０に送信する（ステップＳ２０４，Ｓ２０５）。
【０１６５】
次に、描画装置１１０の処理部１１２は、現在時刻と、ステップＳ２０５において受信した履歴データＤＨと、イベント記憶部１１４に記憶されたイベントスケジュールデータＤＥとに基づいて、リストバンド１８０に記録すべき情報（スケジュール情報ＩＳ）を生成する（ステップＳ２１６）。すなわち、この場合には、搭乗履歴マークＭＨ２には変更がないので、処理部１１２は、搭乗履歴マークＭＨ２を生成しない。
【０１６６】
そして、描画装置１１０の書込部１１３は、リストバンド１８０に対して、ステップＳ２１６において生成したスケジュール情報ＩＳを記録する（ステップＳ２１７）。
【０１６７】
以上で、このシーケンスは終了する。
【０１６８】
（写真データＤＴ２の蓄積）
図２１は、サーバ１３０が写真データＤＴ２を写真データベース１３４に蓄積する場合の記録システム２の動作を表すものである。この例では、各アトラクションにおいて、入場者５が搭乗を待っているときや、搭乗しているときに、撮影装置１２０が入場者５の写真撮影を行う。以下に、この動作について詳細に説明する。
【０１６９】
まず、入場者５がリストバンド１８０を撮影装置１２０の読取部１２１にかざすと、読取部１２１は、リストバンド１８０から情報コードＣＤを読み取る（ステップＳ２１１）。
【０１７０】
次に、撮影装置１２０の処理部１２３は、ステップＳ２１１において読み取った情報コードＣＤから識別情報ＩＩＤを抽出する（ステップＳ２１２）。そして、撮影装置１２０の撮影部１２２は、入場者５が搭乗を待っているときや、搭乗しているときに、入場者５を写真撮影する（ステップＳ２１３）。そして、撮影装置１２０の処理部１２３は、撮影した写真の写真データＤＴ２を、識別情報ＩＩＤとともにサーバ１３０に送信する（ステップＳ２１４）。サーバ１３０は、この写真データＤＴ２を受信する。
【０１７１】
そして、サーバ１３０の写真管理部１３３は、ステップＳ２１４において受信した写真データＤＴ２および識別情報ＩＩＤを互いに対応づけて写真データベース１３４に蓄積する（ステップＳ２１５）。
【０１７２】
以上で、このシーケンスは終了する。なお、この例では、撮影装置１２０は、リストバンド１８０への情報の記録を行わないようにしたが、これに限定されるものではない。これに代えて、例えば、描画装置１１０（図１６Ａ）と同様にイベント記憶部や書込部を設け、図２０に示した例と同様にして、リストバンド１８０へ情報を記録してもよい。
【０１７３】
（写真データＤＴ２の印刷）
図２２は、印刷装置１５０が写真を印刷する場合の記録システム２の動作を表すものである。この例では、入場者５が、写真販売スポット２１１に行き、印刷装置１５０にリストバンド１８０をかざすことにより、印刷装置１５０が、入場者５の操作に基づいて写真を印刷する。以下に、この動作について詳細に説明する。
【０１７４】
まず、入場者５がリストバンド１８０を印刷装置１５０の読取部１５１にかざすと、読取部１５１は、リストバンド１８０から情報コードＣＤを読み取る（ステップＳ２２１）。
【０１７５】
次に、印刷装置１５０の処理部１５２は、ステップＳ２２１において読み取った情報コードＣＤから識別情報ＩＩＤを抽出し（ステップＳ２２２）、その識別情報ＩＩＤをサーバ１３０に対して送信する（ステップＳ２２３）。サーバ１３０は、その識別情報ＩＩＤを受信する。
【０１７６】
次に、サーバ１３０の写真管理部１３３は、ステップＳ２２３において受信した識別情報ＩＩＤに基づいて、写真データベース１３４内のその識別情報ＩＩＤに対応づけられた写真データＤＴ２を選択し（ステップＳ２２４）、選択された写真データＤＴ２を印刷装置１５０に送信する（ステップＳ２２５）。印刷装置１５０は、その写真データＤＴ２を受信する。
【０１７７】
そして、印刷装置１５０の印刷部１５３は、写真データＤＴ２に基づいて印刷を行う（ステップＳ２２６）。その際、印刷装置１５０の処理部１５２は、必要に応じて、例えば入場者５の操作に基づいて、写真データＤＴ２を編集する。そして、印刷部１５３は、写真データＤＴ２に基づいて、写真用紙に印刷を行う。
【０１７８】
以上で、このシーケンスは終了する。なお、この例では、印刷装置１５０は、リストバンド１８０への情報の記録を行わないようにしたが、これに限定されるものではない。これに代えて、例えば、描画装置１１０（図１６Ａ）と同様にイベント記憶部や書込部を設け、図２０に示した例と同様にして、リストバンド１８０へ情報を記録してもよい。
【０１７９】
（レストラン予約）
図２３は、レストラン予約を行う場合の記録システム２の動作を表すものである。この例では、入場者５が、アミューズメントパーク２００内において、スマートフォン１４０を操作することによりサーバ１３０にアクセスし、レストランの予約を行う。以下に、この動作について詳細に説明する。
【０１８０】
まず、スマートフォン１４０の読取部１４１は、入場者５の操作に基づき、リストバンド１８０から情報コードＣＤを読み取る（ステップＳ２３１）。
【０１８１】
次に、スマートフォン１４０の処理部１４２は、ステップＳ２３１において読み取った情報コードＣＤからウェブサイト情報ＩＷＳおよび識別情報ＩＩＤを抽出し（ステップＳ２３２）、このウェブサイト情報ＩＷＳに基づいてサーバ１３０にアクセスし、識別情報ＩＩＤをサーバ１３０に送信する（ステップＳ２３３）。サーバ１３０は、その識別情報ＩＩＤを受信する。
【０１８２】
次に、サーバ１３０の履歴管理部１３１は、ステップＳ２３３において受信した識別情報ＩＩＤに基づいて、履歴データベース１３２内のその識別情報ＩＩＤに対応づけられた履歴データＤＨを選択する（ステップＳ２３４）。
【０１８３】
次に、サーバ１３０のレストラン予約処理部１３６は、アミューズメントパーク２００内のレストランの一覧や、各レストランの情報をスマートフォン１４０に送信する（ステップＳ２３５）。スマートフォン１４０は、それらのレストランに関する情報を受信する。入場者５は、各レストランの情報を閲覧し、食事を行いたいレストランと、食事予定時刻を決定する。
【０１８４】
次に、スマートフォン１４０の処理部１４２は、入場者５の操作に基づき、サーバ１３０に対して、レストランの予約指示を行う（ステップＳ２３６）。サーバ１３０は、その予約指示を受け取る。
【０１８５】
そして、サーバ１３０のレストラン予約処理部１３６は、ステップＳ２３６において受け取った予約指示に基づいてレストラン予約処理を行うとともに、ステップＳ２３４において選択した履歴データＤＨに対して、その予約処理を示すデータを追加することにより履歴データＤＨを更新する（ステップＳ２３７）。そして、履歴管理部１３１は、更新された履歴データＤＨおよび識別情報ＩＩＤに基づいて、履歴データベース１３２内のその識別情報ＩＩＤに対応づけられた履歴データＤＨを更新する。
【０１８６】
以上で、このシーケンスは終了する。
【０１８７】
（サーバ１３０によるサービスの提供）
図２４は、入場者５がサーバ１３０からサービスを受ける場合の記録システム２の動作を表すものである。の例では、入場者５がスマートフォン１４０を操作することによりサーバ１３０にアクセスし、サーバ１３０は、スマートフォン１４０を通じて、入場者５に対して様々なサービスを提供する。以下に、この動作について詳細に説明する。
【０１８８】
まず、スマートフォン１４０の読取部１４１は、入場者５の操作に基づき、リストバンド１８０から情報コードＣＤを読み取る（ステップＳ２４１）。
【０１８９】
次に、スマートフォン１４０の処理部１４２は、ステップＳ２４１において読み取った情報コードＣＤからウェブサイト情報ＩＷＳおよび識別情報ＩＩＤを抽出し（ステップＳ２４２）、このウェブサイト情報ＩＷＳに基づいてサーバ１３０にアクセスし、識別情報ＩＩＤをサーバ１３０に送信する（ステップＳ２４３）。サーバ１３０は、その識別情報ＩＩＤを受信する。
【０１９０】
次に、サーバ１３０の写真管理部１３３は、ステップＳ２４３において受信した識別情報ＩＩＤに基づいて、写真データベース１３４内のその識別情報ＩＩＤに対応づけられた写真データＤＴ２を選択する（ステップＳ２４４）。
【０１９１】
次に、サーバ１３０は、スマートフォン１４０に対してサービスを提供する（ステップＳ２４５）。具体的には、例えば、サーバ１３０の履歴管理部１３１は、全入場者の履歴データＤＨに基づいて、例えば、１日ごとの、アミューズメントパーク２００の入場者数や、アトラクション毎の搭乗者数についての解析を行い、解析結果をスマートフォン４０に供給する。その際、履歴管理部１３１は、例えば、入場者５が、アミューズメントパーク２００への何人目の入場者であるかについての情報や、アトラクションの何人目の搭乗者であるかについての情報などを、スマートフォン１４０に供給する。また、サーバ１３０の写真管理部１３３は、ステップＳ２４４において選択した写真データＤＴ２の一覧（サムネイル）をスマートフォン１４０に提供し、スマートフォン１４０からの要求に応じて、写真データＤＴ２をスマートフォン１４０に供給する。また、販売処理部１３５は、アミューズメントパーク２００の各種グッズなどを販売する。
【０１９２】
そして、サーバ１３０は、サーバ１３０へのアクセス履歴を解析する（ステップＳ２４６）。
【０１９３】
以上で、このシーケンスは終了する。
【０１９４】
このように、記録システム２では、リストバンド８０の情報コードＣＤをさらに様々な用途に利用するようにしたので、ユーザの利便性を高めることができる。
【０１９５】
例えば、記録システム２では、写真データＤＴ２を識別情報ＩＩＤと対応づけて管理し、情報コードＣＤに基づいて、その情報コードＣＤ（識別情報ＩＩＤ）に対応する入場者５に係る写真データＤＴ２を特定するようにした。これにより、記録システム２では、入場者５が、複数の写真の中から、自らが写った写真を選択する手間が省けるので、ユーザの利便性を高めることができる。
【０１９６】
また、例えば、記録システム２では、情報コードＣＤに基づいてレストラン予約を行うようにしたので、入場者５の名前などを入力する手間が省けるので、ユーザの利便性を高めることができる。
【０１９７】
以上のように本実施の形態では、情報コードをさらに様々な用途に利用するようにしたので、ユーザの利便性を高めることができる。
【０１９８】
［変形例２］
上記実施の形態に係る記録システム２に、上記第１の実施の形態の各変形例を適用してもよい。
【０１９９】
以上、いくつかの実施の形態および変形例、ならびにそれらの具体的な適用例を挙げて本技術を説明したが、本技術はこれらの実施の形態等には限定されず、種々の変形が可能である。
【０２００】
例えば、上記の各実施の形態などでは、入場者５はリストバンドを描画装置にかざすことにより情報を記録したが、その際、手首にリストバンドを装着したまま描画装置にかざしてもよいし、リストバンドを手首から一旦外してリストバンドだけを描画装置にかざしてもよい。
【０２０１】
また、例えば、上記の各実施の形態などでは、リストバンドに情報を記録したが、これに限定されるものではない。ユーザが携帯できるものであればどのようなものであってもよい。ユーザの身体の一部に装着できるものが望ましい。具体的には、指輪型の記録媒体や、カード型の記録媒体を用いることができる。カード型の記録媒体を用いる場合には、例えばネックストラップを用いてユーザに装着できるようにすることが望ましい。
【０２０２】
なお、本明細書に記載された効果はあくまで例示であって限定されるものでは無く、また他の効果があってもよい。
【０２０３】
なお、本技術は以下のような構成とすることができる。
【０２０４】
（１）記録媒体に視認可能に記録された時刻に応じたスケジュール情報を、第１のスケジュール情報から第２のスケジュール情報に書き換える書込部と、
時刻に基づいて、前記第２のスケジュール情報を生成する生成部と
を備えた記録装置。
（２）前記生成部は、時刻に加え、前記記録媒体に対応づけられた履歴データにも基づいて前記第２のスケジュール情報を生成する
前記（１）に記載の記録装置。
（３）前記記録媒体に視認可能に記録された情報を読み取る読取部をさらに備え、
前記記録媒体には、さらに、前記記録媒体に対応づけられた識別情報が視認可能に記録され、
前記読取部は、前記記録媒体に記録された前記識別情報を読み取り、
前記生成部は、前記読取部が読み取った前記識別情報に基づいて、前記識別情報と前記履歴データとが互いに対応づけられて記憶されたデータベースを用いて、前記履歴データを取得する
前記（２）に記載の記録装置。
（４）前記生成部は、さらに、前記履歴データを更新し、更新した前記履歴データに基づいて前記データベースを更新させる
前記（３）に記載の記録装置。
（５）前記データベースは情報処理装置に記憶された
前記（３）または（４）に記載の記録装置。
（６）前記識別情報は、視認可能なパターンを用いて前記記録媒体に記録された
前記（３）から（５）のいずれかに記載の記録装置。
（７）前記記録媒体に視認可能に記録された情報を読み取る読取部をさらに備え、
前記履歴データは、前記記録媒体に視認可能に記録され、
前記読取部は、前記記録媒体に記録された前記履歴データを読み取る
前記（２）に記載の記録装置。
（８）前記書込部は、前記記録媒体に記録された前記履歴データを、第１の履歴データから第２の履歴データに書き換え、
前記生成部は、さらに、前記第１の履歴データに基づいて前記第２の履歴データを生成する
前記（７）に記載の記録装置。
（９）前記書込部は、前記記録媒体に視認可能に記録され、前記履歴データに対応するパターンを、第１のパターンから第２のパターンに書き換えることにより、前記履歴データを書き換え、
前記生成部は、前記履歴データに基づいて前記第２のパターンを生成する
前記（８）に記載の記録装置。
（１０）前記生成部は、前記履歴データに加え、情報処理装置のサイト情報にも基づいて、前記第２のパターンを生成する
前記（９）に記載の記録装置。
（１１）前記生成部は、所定のスケジュールデータにも基づいて、前記第２のスケジュール情報を生成する
前記（２）から（１０）のいずれかに記載の記録装置。
（１２）前記書込部は、さらに、記録媒体に視認可能に記録された、前記記録媒体の履歴を示す履歴情報を、第１の履歴情報から第２の履歴情報に更新し、
前記生成部は、前記履歴データに基づいて前記第２の履歴情報を生成する
前記（２）から（１１）のいずれかに記載の記録装置。
（１３）前記記録媒体は、ユーザに装着可能に構成された
前記（１）から（１２）のいずれかに記載の記録装置。
（１４）前記記録媒体は、リストバンド形状を有する
前記（１３）に記載の記録装置。
（１５）前記記録媒体は、発色状態と消色状態との間で可逆的に状態が変化可能な記録層を有する
前記（１）から（１４）のいずれかに記載の記録装置。
（１６）前記記録層は、ロイコ染料を含む
前記（１５）に記載の記録装置。
（１７）記録媒体に視認可能に記録された時刻に応じたスケジュール情報を、第１のスケジュール情報から第２のスケジュール情報に書き換える書込部と、時刻、および前記記録媒体に対応づけられた履歴データに基づいて、前記第２のスケジュール情報を生成する生成部とを有する記録装置と、
前記履歴データを蓄積する情報処理装置と
を備えた記録システム。
（１８）前記記録装置は、前記記録媒体に視認可能に記録された情報を読み取る読取部をさらに有し、
前記記録媒体には、さらに、前記記録媒体に対応づけられた識別情報が視認可能に記録され、
前記情報処理装置は、前記識別情報と前記履歴データとが互いに対応づけられて記憶されたデータベースを有し、
前記読取部は、前記記録媒体に記録された前記識別情報を読み取り、
前記生成部は、前記読取部が読み取った前記識別情報に基づいて、前記情報処理装置から前記履歴データを取得する
前記（１７）に記載の記録システム。
（１９）前記記録媒体に視認可能に記録された情報を読み取る端末読取部と、処理部とを有する端末装置をさらに備え、
前記記録媒体には、さらに、前記情報処理装置のサイト情報が視認可能に記録され、
前記端末読取部は、前記記録媒体に記録された前記識別情報および前記サイト情報を読み取り、
前記処理部は、前記端末読取部が読み取った前記サイト情報に基づいて前記情報処理装置にアクセスして、前記端末読取部が読み取った前記識別情報を前記情報処理装置に供給し、
前記情報処理装置は、前記端末装置に対して、前記識別情報に応じた所定の処理を行う
前記（１８）に記載の記録システム。
（２０）記録媒体に視認可能に記録された時刻に応じたスケジュール情報を、第１のスケジュール情報から第２のスケジュール情報に書き換える書込部と、時刻、および前記記録媒体に対応づけられた履歴データに基づいて、前記第２のスケジュール情報を生成する生成部とを有する記録装置と、
前記履歴データに応じた所定の処理を行う情報処理装置と
を備えた記録システム。
（２１）前記記録媒体に視認可能に記録された情報を読み取る端末読取部を有する端末装置をさらに備え、
前記記録媒体には、さらに、前記記録媒体に対応づけられた識別情報が視認可能に記録され、
前記情報処理装置は、前記識別情報と前記履歴データとが互いに対応づけられて記憶されたデータベースを有し、
前記端末読取部は、前記記録媒体に記録された前記識別情報を読み取り、
前記情報処理装置は、前記端末読取部が読み取った前記識別情報に基づいて、前記履歴データを取得する
前記（２０）に記載の記録システム。
（２２）前記記録媒体に視認可能に記録された情報を読み取る端末読取部を有する端末装置をさらに備え、
前記履歴データは、前記記録媒体に視認可能に記録され、
前記端末読取部は、前記記録媒体に記録された前記履歴データを読み取り、
前記情報処理装置は、前記端末読取部が読み取った前記履歴データを取得する
前記（２０）に記載の記録システム。
【０２０５】
本出願は、日本国特許庁において２０１６年１０月１２日に出願された日本特許出願番号２０１６−２００９９５号を基礎として優先権を主張するものであり、この出願のすべての内容を参照によって本出願に援用する。
【０２０６】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2018070176.tif 000003
【図２】
2018070176.tif 000004
【図３】
2018070176.tif 000005
【図４Ａ】
2018070176.tif 000006
【図４Ｂ】
2018070176.tif 000007
【図５】
2018070176.tif 000008
【図６】
2018070176.tif 000009
【図７】
2018070176.tif 000010
【図８】
2018070176.tif 000011
【図９】
2018070176.tif 000012
【図１０Ａ】
2018070176.tif 000013
【図１０Ｂ】
2018070176.tif 000014
【図１１】
2018070176.tif 000015
【図１２】
2018070176.tif 000016
【図１３】
2018070176.tif 000017
【図１４】
2018070176.tif 000018
【図１５】
2018070176.tif 000019
【図１６Ａ】
2018070176.tif 000020
【図１６Ｂ】
2018070176.tif 000021
【図１７】
2018070176.tif 000022
【図１８】
2018070176.tif 000023
【図１９】
2018070176.tif 000024
【図２０】
2018070176.tif 000025
【図２１】
2018070176.tif 000026
【図２２】
2018070176.tif 000027
【図２３】
2018070176.tif 000028
【図２４】
2018070176.tif 000029
【国際調査報告】
2018070176.tif 000030
2018070176.tif 000031
2018070176.tif 000032
2018070176.tif 000033